(57)【特許請求の範囲】
【請求項１】
シンクにおいて物品を載置状態で保持するシンク用ラックであって、
前記シンクの後方において横方向に間隔を隔てて設けられた一対の突起部の側面を包囲して当接する形態で前記一対の突起部と着脱自在に係合する一対の取付け部と、
前記一対の取付け部の近傍同士が互いに連結されていないラック本体とを備え、
前記ラック本体は、弾性的に変形可能な線材により形成され、
前記突起部は、円柱状の外形形状を有し、
前記取付け部は、円形パイプ状の部材により形成され、前記突起部の円柱状の外形形状に対応する円柱状の内部空間を有し、
前記シンク用ラックの取付け状態において、前記突起部の全体が前記取付け部により覆われることを特徴とするシンク用ラック。
【請求項２】
前記ラック本体は、前記一対の取付け部の前側に設けられて前記シンクの内部において物品を載置状態で保持する第１ラック部と、前記一対の取付け部の後側に設けられて前記シンクの後方において物品を載置状態で保持する第２ラック部とを有することを特徴とする請求項１に記載のシンク用ラック。
【発明の詳細な説明】
【技術分野】
【０００１】
本発明は、シンク用ラックに関し、さらに詳細にはキッチンのシンクにおいて洗剤やスポンジなどの物品を載置状態で保持するラックに関するものである。
【背景技術】
【０００２】
従来、キッチンのシンクにおいて洗剤やスポンジなどの物品を載置状態で保持するシンク用ラックが知られている。
【発明の開示】
【発明が解決しようとする課題】
【０００３】
従来のシンク用ラックでは、全体剛性が高くて変形しにくい構造を採用しているため、製造誤差がある程度あっても無理なく取り付けることができるように、取付け部には余裕をもった寸法設定がなされている。その結果、従来のシンク用ラックは取付け状態においてガタツキ易く、取付け部およびその近傍に汚れが付き易い。
【０００４】
本発明は、前述の課題に鑑みてなされたものであり、取付け状態においてガタツキにくく且つ取付け部およびその近傍に汚れが付きにくい構造のシンク用ラックを提供することを目的とする。
【課題を解決するための手段】
【０００５】
前記課題を解決するために、本発明では、シンクにおいて物品を載置状態で保持するシンク用ラックであって、
前記シンクの後方において横方向に間隔を隔てて設けられた一対の突起部の側面を包囲して当接する形態で前記一対の突起部と着脱自在に係合する一対の取付け部と、
前記一対の取付け部の近傍同士が互いに連結されていないラック本体とを備え、
前記ラック本体は、弾性的に変形可能な線材により形成され、
前記突起部は、円柱状の外形形状を有し、
前記取付け部は、円形パイプ状の部材により形成され、前記突起部の円柱状の外形形状に対応する円柱状の内部空間を有し、
前記シンク用ラックの取付け状態において、前記突起部の全体が前記取付け部により覆われることを特徴とするシンク用ラックを提供する。
【０００７】
本発明の好ましい態様によれば、前記ラック本体は、前記一対の取付け部の前側に設けられて前記シンクの内部において物品を載置状態で保持する第１ラック部と、前記一対の取付け部の後側に設けられて前記シンクの後方において物品を載置状態で保持する第２ラック部とを有する。
【発明の効果】
【０００８】
本発明のシンク用ラックは、シンクの後方において横方向に間隔を隔てて設けられた一対の突起部の側面を包囲して当接する形態で一対の突起部と着脱自在に係合する一対の取付け部を備えている。そして、ラック本体は、取付け前の状態において一対の取付け部の間隔が所定の範囲に亘って弾性的に変化するように、一対の取付け部の近傍同士が互いに連結されていない構造を有する。このように一対の取付け部の間隔が所定の範囲に亘って弾性的に変化するような構成は、例えば弾性的に変形可能な線材によりラック本体を形成することにより実現可能である。
【０００９】
本発明では、一対の取付け部の間隔が所定の範囲に亘って弾性的に変化するので、取付け部に余裕をもった寸法設定をしなくても、シンクの後方に設けられた一対の突起部に一対の取付け部を容易に係合させることができる。この場合、取付け状態において一対の取付け部の近傍同士が、一対の突起部の間に存在する部材により互いに連結された構造になるので、取付け前には弾性的に変化し易かったシンク用ラックの全体剛性が取付け後には十分に高くなり、取付け状態においてガタツキにくくなる。
【００１０】
また、本発明では、一対の取付け部の間隔が所定の範囲に亘って弾性的に変化するので、取付け部に余裕をもった寸法設定をする必要がなく、一対の突起部の側面を包囲して当接する密着包囲型の係合が可能になる。その結果、取付け形態が極めて簡素になり、ひいては取付け部およびその近傍に汚れが付きにくくなる。こうして、本発明では、取付け状態においてガタツキにくく且つ取付け部に汚れが付きにくい構造のシンク用ラックを実現することができる。
【００１１】
なお、本発明では、突起部が円柱状の外形形状を有し、取付け部は突起部の円柱状の外形形状に対応する円柱状の内部空間を有することが好ましい。この構成により、シンク用ラックの取付けがさらに容易になるだけでなく、取付け形態がさらに簡素になる。
【００１２】
また、本発明では、ラック本体が、一対の取付け部の前側に設けられてシンクの内部において物品を載置状態で保持する第１ラック部と、一対の取付け部の後側に設けられてシンクの後方において物品を載置状態で保持する第２ラック部とを有することが好ましい。この構成により、第１ラック部に載置する物品と第２ラック部に載置する物品とを使い分けて、シンク用ラックの使い勝手を向上させることができる。
【発明を実施するための最良の形態】
【００１３】
本発明の実施形態を、添付図面に基づいて説明する。図１は、本発明の実施形態にかかるシンク用ラックが取り付けられたキッチンの全体構成を概略的に示す斜視図である。図２は、図１のシンクおよび周辺の要部構成を概略的に示す斜視図であって、シンク用ラックの使用状態を示している。図１に示すキッチンは、床Ｆの上に載置されたベースキャビネットＢＣを備えている。
【００１４】
ベースキャビネットＢＣの上部には、キッチンに向かって左側から加熱調理部（ＩＨコンロ、ガスコンロなど）１１と、一対のカウンター１２ａおよび１２ｂとが設けられ、この一対のカウンター１２ａと１２ｂとの間にシンク１３が設けられている。また、シンク１３に隣接して、たとえば湯水混合型の水栓１４が設けられている。本実施形態のシンク用ラックは、シンク１３において洗剤やスポンジなどの物品を載置状態で保持するように取り付けられている。
【００１５】
図３は、本実施形態のシンク用ラックの構成を概略的に示す斜視図であって、前方右上からシンク用ラックを見た図である。図４は、本実施形態のシンク用ラックの構成を概略的に示す斜視図であって、後方左上からシンク用ラックを見た図である。図５および図６は、本実施形態のシンク用ラックの取付けを説明する図である。
【００１６】
図５および図６を参照すると、本実施形態では、シンク１３の後方において横方向に間隔を隔てて一対の突起部１５ａ，１５ｂが設けられている。具体的には、一対の突起部１５ａ，１５ｂは、例えば円柱状の外形形状を有するピン部材であって、シンク１３の排水口１３ａの形成領域（すなわち水栓１４の脇のへこみ領域）の横方向に沿った両端に対応する位置に設けられている。
【００１７】
本実施形態のシンク用ラック１は、図３〜図６に示すように、一対のピン部材１５ａ，１５ｂの側面を包囲して当接する形態で一対のピン部材１５ａ，１５ｂと着脱自在に係合する一対の取付け部２ａ，２ｂを備えている。すなわち、一対の取付け部２ａ，２ｂは、例えば円形パイプ状の部材により形成され、一対のピン部材１５ａ，１５ｂの円柱状の外形形状に対応する円柱状の内部空間を有する。
【００１８】
ラック本体３（参照符号３の図示は省略）は、弾性的に変形可能な線材により形成され、一対の取付け部２ａ，２ｂの近傍同士が互いに連結されていない構造を有する。その結果、ラック本体３は、取付け前の状態において、一対の取付け部２ａ，２ｂの間隔が所定の範囲に亘って弾性的に変化するという特徴を有する。ラック本体３は、例えば一対の取付け部２ａ，２ｂも同時に形成する円形パイプ状の部材３ａと、この部材３ａよりも細い線材３ｂとにより構成されている。
【００１９】
また、ラック本体３は、一対の取付け部２ａ，２ｂの前側に設けられてシンク１３の内部において物品を載置状態で保持する第１ラック部３Ａと、一対の取付け部２ａ，２ｂの後側に設けられてシンク１３の後方において物品を載置状態で保持する第２ラック部３Ｂとを有する。図２および図５に示すように、第１ラック部３Ａは例えば洗剤２１やスポンジ（不図示）などの物品を載置状態で保持し、第２ラック部３Ｂは例えばまな板２２などの物品を載置状態で保持する。
【００２０】
以上のように、本実施形態では、一対の取付け部２ａ，２ｂの間隔が所定の範囲に亘って弾性的に変化するので、取付け部２ａ，２ｂに余裕をもった寸法設定をしなくても、シンク１３の後方に設けられた一対のピン部材（突起部）１５ａ，１５ｂに一対の取付け部２ａ，２ｂを容易に係合させることができる。具体的には、図６に示すように、一対のピン部材１５ａと１５ｂとの間隔Ｌに比して一対の取付け部２ａと２ｂとの間隔が大きい場合、一対の取付け部２ａと２ｂとの間隔を所要量だけ狭めるようにラック本体３を弾性変形させつつ、一対のピン部材１５ａ，１５ｂの側面を包囲して当接するように一対の取付け部２ａ，２ｂを一対のピン部材１５ａ，１５ｂに容易に係合させることができる。
【００２１】
逆に、一対のピン部材１５ａと１５ｂとの間隔Ｌに比して一対の取付け部２ａと２ｂとの間隔が小さい場合、一対の取付け部２ａと２ｂとの間隔を所要量だけ拡げるようにラック本体３を弾性変形させつつ、一対のピン部材１５ａ，１５ｂの側面を包囲して当接するように一対の取付け部２ａ，２ｂを一対のピン部材１５ａ，１５ｂに容易に係合させることができる。その結果、取付け状態において一対の取付け部２ａ，２ｂの近傍同士が、一対のピン部材１５ａと１５ｂとの間に存在する部材により互いに連結された構造になるので、取付け前には弾性的に変化し易かったシンク用ラック１の全体剛性が取付け後には十分に高くなり、取付け状態においてガタツキにくい。
【００２２】
また、本実施形態では、一対の取付け部２ａ，２ｂの間隔が所定の範囲に亘って弾性的に変化するので、取付け部２ａ，２ｂに余裕をもった寸法設定をする必要がなく、一対のピン部材１５ａと１５ｂの側面を包囲して当接する密着包囲型の係合を実現することができる。その結果、取付け形態が極めて簡素であり、ひいては取付け部２ａ，２ｂおよびその近傍に汚れが付きにくい。
【００２３】
特に、本実施形態では、突起部１５ａ，１５ｂが円柱状の外形形状を有し、取付け部２ａ，２ｂは突起部１５ａ，１５ｂの円柱状の外形形状に対応する円柱状の内部空間を有するので、シンク用ラック１の取付けが著しく容易であり、取付け形態が非常に簡素である。
【００２４】
また、本実施形態では、ラック本体３が、一対の取付け部２ａ，２ｂの前側に設けられてシンク１３の内部において物品を載置状態で保持する第１ラック部３Ａと、一対の取付け部２ａ，２ｂの後側に設けられてシンク１３の後方において物品を載置状態で保持する第２ラック部３Ｂとを有するので、第１ラック部３Ａに載置する物品と第２ラック部３Ｂに載置する物品とを使い分けることができ、シンク用ラック１の使い勝手が良好である。
【００２５】
なお、上述の実施形態では、一対の突起部１５ａ，１５ｂが円柱状の外形形状を有し、一対の取付け部２ａ，２ｂは一対のピン部材１５ａ，１５ｂの円柱状の外形形状に対応する円柱状の内部空間を有する構成が例示されている。しかしながら、これに限定されることなく、突起部の外形形状、これに対応する取付け部の構成などについては様々な変形例が可能である。
【００２６】
また、上述の実施形態では、ラック本体３が、一対の取付け部２ａ，２ｂの前側に設けられた第１ラック部３Ａと、一対の取付け部２ａ，２ｂの後側に設けられた第２ラック部３Ｂとを有する構成が例示されている。しかしながら、これに限定されることなく、ラック本体３の具体的な構成については様々な変形例が可能である。
【図面の簡単な説明】
【００２７】
【図１】本発明の実施形態にかかるシンク用ラックが取り付けられたキッチンの全体構成を概略的に示す斜視図である。
【図２】図１のシンクおよび周辺の要部構成を概略的に示す斜視図であって、シンク用ラックの使用状態を示している。
【図３】本実施形態のシンク用ラックの構成を概略的に示す斜視図であって、前方右上からシンク用ラックを見た図である。
【図４】本実施形態のシンク用ラックの構成を概略的に示す斜視図であって、後方左上からシンク用ラックを見た図である。
【図５】本実施形態のシンク用ラックの取付けを説明する第１の図である。
【図６】本実施形態のシンク用ラックの取付けを説明する第２の図である。
【符号の説明】
【００２８】
１  シンク用ラック
２ａ，２ｂ  一対の取付け部
３  ラック本体
３Ａ  第１ラック部
３Ｂ  第２ラック部
１１  加熱調理部
１３  シンク
１５ａ，１５ｂ  一対のピン部材
２１  洗剤
２２  まな板
【図１】
0005505946.tif 000002
【図２】
0005505946.tif 000003
【図３】
0005505946.tif 000004
【図４】
0005505946.tif 000005
【図５】
0005505946.tif 000006
【図６】
0005505946.tif 000007